(57)【要約】【課題】  舌片状ベルトを手甲部側係止片に係着する際、何回も係着し直すこと無く、着用時はよりしっかりと装着でき、取外し時はより迅速に取外しが行えるゴルフ用手袋を提供する。【解決手段】  手袋本体の手の甲側を覆う手甲部領域の子指部下方に切込み部を形成し、切込み部の子指部側に取り付けられた舌片状ベルトの手甲部側と、切込み部の親指部側の手甲部領域とを一対の係止片で着脱するゴルフ用手袋において、舌片状ベルトの先端に突起を形成した引張部を設ける。【選択図】  図１
2010000113.tif 000002
【特許請求の範囲】
【請求項１】
手袋本体の手の甲側を覆う手甲部領域の子指部下方に切込み部を形成し、切込み部の子指部側に取り付けられた舌片状ベルトの手甲部側と、切込み部の親指部側の手甲部領域とを一対の係止片で着脱するゴルフ用手袋において、舌片状ベルトの先端に引張部を形成したことを特徴とするゴルフ用手袋。
【請求項２】
少なくとも引張部をエラストマー素材とし、引張部の上面および／または下面に、突起を形成したことを特徴とする請求項１に記載のゴルフ用手袋。
【請求項３】
引張部の突起は、引張方向に略直交する方向の凸条であることを特徴とする請求項２に記載のゴルフ用手袋。
【発明の詳細な説明】
【技術分野】
【０００１】
本発明は、着用時はよりしっかりと装着でき、取外し時はより迅速に取外しが行えるようにするためのゴルフ用手袋に関するものである。
【背景技術】
【０００２】
従来のゴルフ用手袋は、手甲部領域の子指部下方に手袋本体の縦方向に切込み部を形成し、切込み部の子指部側に取り付けられた舌片状ベルトの手甲部側に、舌片状ベルトの外形に沿った形状のベルト側係止片を取り付け、切込み部の親指部側の手甲部領域にベルト側係止片とほぼ同じ形状の手甲部側係止片を取り付け、手袋装着時はベルト側係止片と手甲部係止片が、ほぼ一致するように舌片状ベルトを引っ張りながら重ねて係止するようにしていた。
【０００３】
ところが、ゴルフ用手袋を装着する際、舌片状ベルトの先端部を把持して引っ張るが、舌片状ベルトの手甲部側全体にベルト側係止片が取り付けられているためしっかり把持し、迅速に手甲部側係止片に係着し難いという問題点が有った。
【０００４】
なお、手袋を脱着し易くするものとして、下記特許文献１には脱ぎ易くするために、指袋先端部に引っ張り用つまみ片を設けたゴルフ用手袋が開示されている。また、下記特許文献２には装着し易くするために、手袋の袖口に各種形態のツマミ片を取り付けた作業手袋が開示されている。
【特許文献１】特開２００１−１１５３１８号公報
【特許文献２】特開平９−２７９４０７号公報
【発明の開示】
【発明が解決しようとする課題】
【０００５】
従来のゴルフ用手袋は、着用時は舌片状ベルトの先端部を把持して引っ張りながら手甲部側係止片に係着する際、数回係着し直すことが一般的であり、取外し時は係着された舌片状ベルトの先端部を把持し引っ張るが、先端部がしっかり係着されていると、先端部を把持し難いという問題点が有った。
【０００６】
なお、特開２００１−１１５３１８号公報のゴルフ用手袋は、脱ぎ易くすることだけを目的としたもので、しっかりと装着することは考慮されていない。また、特開平９−２７９４０７号公報の作業手袋は、ツマミ片を把持して装着することで、装着し易く、衣服の袖口を汚すことを防止することをためのもので目的としたもので、しっかりと装着することは考慮されていない。
【０００７】
そこで、本発明は従来のゴルフ用手袋の課題を解決し、着用時はよりしっかりと装着でき、取外し時はより迅速に取外しが行えるゴルフ用手袋を提供することを目的とする。
【課題を解決するための手段】
【０００８】
前記課題を解決するため、請求項１に記載の発明は、手袋本体の手の甲側を覆う手甲部領域の子指部下方に切込み部を形成し、切込み部の子指部側に取り付けられた舌片状ベルトの手甲部側と、切込み部の親指部側の手甲部領域とを一対の係止片で着脱するゴルフ用手袋において、舌片状ベルトの先端に引張部を形成したことを特徴とするゴルフ用手袋である。
【０００９】
上記のように舌片状ベルトの先端に引張部を形成することで、着用時はよりしっかりと装着でき、取外し時はより迅速に取外しが行えるゴルフ用手袋とすることができる。
【００１０】
請求項２に記載の発明は、少なくとも引張部をエラストマー素材とし、引張部の上面および／または下面に、突起を形成したことを特徴とする請求項１に記載のゴルフ用手袋である。
【００１１】
上記のようにエラストマー素材の引張部に突起を形成することで、引張部をよりしっかり把持することができ、強く引っ張っても引張部から把持した指をすべり難くすることができる。
【００１２】
請求項３に記載の発明は、引張部の突起は、引張方向に略直交する方向の凸条であることを特徴とする請求項２に記載のゴルフ用手袋である。
【００１３】
上記のように引張方向に略直交する方向に凸条を形成することで、強く引っ張っても引張部から把持した指をすべり難くすることができる。
【発明の効果】
【００１４】
本発明によれば、ゴルフ用手袋を着用時はよりしっかりと装着でき、取外し時はより迅速に取外しが行え、舌片状ベルトを係着し直す回数を少なくすることができる。
【発明を実施するための最良の形態】
【００１５】
本発明のゴルフ用手袋は、天然皮革、人工皮革、合成皮革等の素材を裁断し、複数の部材を縫着して作製される。その主な部材は、手の掌側を覆う手掌部領域と手の甲側を覆う手甲部領域を形成する手袋本体、親指部材、舌片状ベルト、舌片状ベルトを係止する一対の係止片である。
【００１６】
以下、本発明の実施形態を図面を参照して説明する。
図１は本発明のゴルフ用手袋の舌片状ベルトを開いた状態の平面図であり、図２は本発明のゴルフ用手袋の舌片状ベルトを閉じた状態の平面図である。
図の手袋本体２は手掌部領域と手甲部領域３および親指部材７からなり、人工皮革を裁断、縫着し形成する。舌片状ベルト５はベルト本体８、引張片６、ベルト部係止片９からなりベルト本体８は合成皮革、引張片６は天然ゴム、合成ゴム、シリコンゴム、ウレタンゴム等の柔軟性を有するエラストマー素材、ベルト部係止片９は面ファスナーを裁断、縫着し形成する。なお、切込み部４の親指部側の手甲部領域３に、舌片状ベルト５を閉じた時にベルト部係止片９と係着する面ファスナーの手甲部係止片１０を縫着している。
【００１７】
舌片状ベルト５は手袋本体２の切込み部４の子指部側端部に縫着している。なお、図示はしないが前記子指部側端部に伸縮性のある部材を縫着し、該伸縮性部材に舌片状ベルト５を縫着しても良い。
【００１８】
舌片状ベルト５は、舌片状ベルト５を閉じた状態で上方よりベルト本体８、引張片６、ベルト部係止片９を重ねて縫着し形成される。なお、ベルト本体８は面状でも良いが、中央部に開口８ａを設けると引張片６の上面にデザインを施して開口８ａから見えるようにすることができる。
【００１９】
引張片６は、ベルト本体８の先端部より引張部６ａが突き出る以外はベルト本体８の外形形状に沿うように成形しベルト本体８に縫着されており、引張部６ａの裏面には舌片状ベルト５の引張方向に略直交する方向に１本の突起６ｂを形成している。なお、引張片６を引張部６ａのみとし、ベルト本体８の先端部に縫着するようにしても良い。
【００２０】
引張部６ａに形成する突起６ｂは、図示はしないが引張部６ａの表面に形成しても良いし、表裏面に形成しても良い。また、突起６ｂは凸条が複数本でも良いし、ドット状のものでも良い。
【００２１】
ベルト部係止片９は引張片６の下面に引張部６ａを除く形状にループ面ファスナーを裁断し縫着している。また、手甲部係止片１０はベルト部係止片９と同形状で、フック面ファスナーを切込み部４の親指部側端部に一端を合わせて手甲部領域上に縫着している。
【産業上の利用可能性】
【００２２】
本発明は、ゴルフ以外のスポーツ用手袋にも適用できるものである。
【図面の簡単な説明】
【００２３】
【図１】本発明のゴルフ用手袋の舌片状ベルトを開いた状態の平面図
【図２】本発明のゴルフ用手袋の舌片状ベルトを閉じた状態の平面図
【符号の説明】
【００２４】
１  ゴルフ用手袋
２  手袋本体
３  手甲部領域
４  切込み部
５  舌片状ベルト
６  引張片
６ａ  引張部
６ｂ  突起
７  親指部材
８  ベルト本体
８ａ  開口
９  ベルト部係止片
１０  手甲部係止片
【図１】
2010000113.tif 000003
【図２】
2010000113.tif 000004